(57)【特許請求の範囲】
【請求項１】
本体部と、前記本体部に、支点を中心として開閉自在に設けられた蓋部と、前記本体部に設けられた第１および第２の穴部と、中央にレバー、両端にハの字型に形成された第１および第２の孔を有し、前記中心に垂直な方向に摺動可能に取り付けられたレバー部材と、前記蓋部に摺動可能に取り付けられ一端が前記第１の穴部に係止可能に配置され、他端が前記第１の孔に係合する突起部を有する第１の爪と、前記蓋部に摺動可能に取り付けられ一端が前記第２の穴部に係止可能に配置され、他端が前記第２の孔に係合する突起部を有する第２の爪とを備え、前記レバーを前記ハの字の上方向に摺動させることにより、前記第１の爪と前記第２の爪とを摺動させた場合は前記本体部に対し前記蓋部を係合させ、前記レバーを前記ハの字の下方向に摺動させることにより、前記第１の爪と前記第２の爪とを摺動させた場合は前記本体部に対し前記蓋部を解除させることを特徴とする携帯プリンタ。
【発明の詳細な説明】
【０００１】
【発明の属する技術分野】
本発明は携帯プリンタに関するものである。
【０００２】
【従来の技術】
以下、従来の携帯プリンタについて説明する。
【０００３】
従来の携帯プリンタは図４に示すように本体部１の支点２を中心に開閉自在に設けられた蓋部３があり、前記本体部１内にはプリンタが収納されていた。そしてこの蓋部３の開閉は、蓋部３の両側に設けられたレバー４とレバー５を内側に摺動させることにより本体部１と蓋部３の係止を開放していた。
【０００４】
なおこれに類する技術として、例えば特開平８−２９５３２３号公報がある。
【０００５】
【発明が解決しようとする課題】
しかしながらこのような従来の構成では、本体部１に入ったロール紙を交換する場合蓋部３を開けなければならないが、このときレバー４とレバー５を同時に操作する必要があった。すなわち二つのレバー４と５を操作するため、片手で本体部１を持った場合とか、あるいはこの本体部１を腰に取り付けて操作する場合などは、非常に不便であった。
【０００６】
そこで本発明の目的はこのような問題点を解決するもので、片手で簡単に蓋の開閉ができる携帯プリンタを提供することを目的としたものである。
【０００７】
【課題を解決するための手段】
この目的を達成するために、本発明の携帯プリンタは、前記本体部に、支点を中心として開閉自在に設けられた蓋部と、前記本体部に設けられた第１および第２の穴部と、中央にレバー、両端にハの字型に形成された第１および第２の孔を有し、前記中心に垂直な方向に摺動可能に取り付けられたレバー部材と、前記蓋部に摺動可能に取り付けられ一端が前記第１の穴部に係止可能に配置され、他端が前記第１の孔に係合する突起部を有する第１の爪と、前記蓋部に摺動可能に取り付けられ一端が前記第２の穴部に係止可能に配置され、他端が前記第２の孔に係合する突起部を有する第２の爪とを備え、前記レバーを前記ハの字の上方向に摺動させることにより、前記第１の爪と前記第２の爪とを摺動させた場合は前記本体部に対し前記蓋部を係合させ、前記レバーを前記ハの字の下方向に摺動させることにより、前記第１の爪と前記第２の爪とを摺動させた場合は前記本体部に対し前記蓋部を解除させることを特徴とするものである。
【０００８】
これにより、片手で簡単に蓋の開閉ができるとともに、レバーの機構を薄く実現でき、しかも本体部から外れにくくなる。
【００１７】
【発明の実施の形態】
以下、本発明の実施の形態を、図面に基づいて説明する。
（実施の形態１）
図２は本発明の実施の形態１による携帯プリンタの斜視図である。図２において１１は本体部であり、１２は蓋部である。この蓋部１２は支点１３を中心に開閉自在に設けられている。１４と１５はそれぞれ印字されたロール紙が排出される第一の排出口と第二の排出口である。１６は蓋部１２の前面の略中央部に設けられたレバーであり、このレバー１６によって、蓋部１２を本体部１１の係止から開放させるものである。
【００１８】
次に図１は、この蓋部１２を本体部１１に係止する機構的な係止手段の要部平面図である。図１において、レバー１６は両方伸びており、その両端にはハの字型の孔１７が設けられている。また１８は爪であり、この爪１８は本体部１１に設けられた穴部１９に挿入することにより、蓋部１２を本体部１１に係止させるものである。またこの爪１８の他の一端には突起部２０が設けられており、この突起部２０はレバーに設けられた孔１７に係合してハの字に沿って摺動する。また２１は引張りバネであり、レバー１６をＡ方向に付勢している。
【００１９】
以上のように構成された係止手段について、以下にその動作を説明する。
レバー１６をＢ方向に引くことにより、孔１７内の突起部２０はＣ方向に移動する。すなわちこのことにより、爪１８は内側、Ｄ方向へ引かれることになり穴部１９から爪１８が抜けて、蓋部１２と本体部１１との係合は解除される。
【００２０】
レバー１６の引張りを停止すると、引張りバネ２１の吸引力によりレバー１６はＡ方向に引かれる。そうすることにより、孔１７内の突起部２０が移動し、爪１８が外方向に移動する。そして、爪１８は本体部１１に形成された穴部１９に嵌合して係止される。
【００２１】
このレバー１６の荷重は、１．５ｍ以上の高さから落下させたとき以上の力に対して移動するように荷重を設定しておけば、誤って落下させても蓋部１２が開くことはない。
【００２２】
（実施の形態２）
図３は実施の形態２の要部平面図である。図３においてレバー１６ａのＡ方向あるいはＢ方向への移動は、このレバー１６ａに連結して設けられたマグネット２２で行っている。またこのレバー１６ａは、圧縮バネ２３によりＡ方向に付勢されている。また２４は電池であり、この電池２４はスイッチ２５を介してマグネット２２に接続されている。したがってスイッチ２５をオンすることにより、マグネット２２には電流が流れ、レバー１６ａがＢ方向に吸引される。すなわち爪１８は内側へ移動して穴部１９から抜けて、本体部１１との係合は解除される。またスイッチ２５をオフにすると、マグネット２２は通電されなくなるので、圧縮バネ２３の力によりレバー１６ａはＡ方向に移動し、爪１８は外側に移動し、穴部１９に挿入されて本体部１１に係止される。
【００２３】
このように本実施の形態では電気的なスイッチ２５を用いており、このスイッチ２５はどこでも自由に装着することができる。たとえばこのスイッチ２５を前面の略中央部に設けておけば、片手で携帯プリンタを持ったとき操作が容易であるとともに、このスイッチ２５を携帯プリンタの側面に設けておけば、携帯プリンタを腰に装着したとき容易に操作することができる。
【００２４】
なおこのスイッチ２５と直列に安全スイッチを設けておくことにより、二つのスイッチをともにオンしたときにのみ、蓋部１２を開くようにしておけばより安全となる。またこれは実施の形態１の機構的な方法においても、機構的に安全レバーを設けることにより実施できる。
【００２５】
【発明の効果】
以上のように、本発明によれば、本体部と、前記本体部に、支点を中心として開閉自在に設けられ、第１側面および第２側面を有する蓋部と、前記本体部の内側であって、前記蓋部の第１側面に対向する位置に設けられた第１の穴部と、前記本体部の内側であって、前記蓋部の第２側面に対向する位置に設けられた第２の穴部と、中央にレバー、両端にハの字型に形成された第１および第２の孔を有し、前記蓋部の側面に対してそれぞれ平行方向に摺動可能に取り付けられたレバー部材と、前記蓋部の遊端に対して平行方向に摺動可能に取り付けられ、一端が前記第１の穴部に係止可能に配置され、他端が前記第１の孔に係合する突起部を有する第１の爪と、前記蓋部の遊端方向に取り付けられ、一端が前記第２の穴部に係止可能に配置され、他端が前記第２の孔に係合する突起部を有する第２の爪とを備え、前記レバーを前記ハの字の上方向に摺動させることにより、前記第１の爪と前記第２の爪とを摺動させた場合は前記本体部に対し前記蓋部を係合させ、前記レバーを前記ハの字の下方向に摺動させることにより、前記第１の爪と前記第２の爪とを摺動させた場合は前記本体部に対し前記蓋部を解除させるように構成したので、片手で簡単に蓋の開閉ができるとともに、レバーの機構を薄く実現でき、しかも本体部から外れにくいという効果を有する。
【図面の簡単な説明】
【図１】本発明の実施の形態１における携帯プリンタの要部平面図
【図２】同、携帯プリンタの斜視図
【図３】同、実施の形態２における携帯プリンタの要部平面図
【図４】従来の携帯プリンタの斜視図
【符号の説明】
１１  本体部
１２  蓋部
１６  レバー
１７  孔
１８  爪
１９  穴部
２０  突起部
２１  引張りバネ
【図１】
0003633247.tif 000002
【図２】
0003633247.tif 000003
【図３】
0003633247.tif 000004
【図４】
0003633247.tif 000005